(57)【要約】【課題】エアフィルターの定期的な清掃の煩わしさを解消し、常に良好送風状態を確保する。【解決手段】少なくとも熱交換器、送風機と吸入グリルを有した空気調和機の室内機であって、前記熱交換器と前記吸入グリルとの間にフィルター装置を設け、前記フィルター装置にエアフィルターと、前記エアフィルターに付着した塵埃を吸入する移動可能な吸入ノズルを設け、この吸入ノズルに吸い込みダクトを設け、さらに前記吸い込みダクトに連結する吸引排気装置と吸い込んだ塵埃を室外に排気する排気ダクトを具備し、前記吸入ノズルに複数個の吸入口を千鳥状に設けたことを特徴とする空気調和機のフィルター装置。【選択図】  図２
2004286345.tif 000002
【特許請求の範囲】
【請求項１】
少なくとも熱交換器、送風機と吸入グリルを有した空気調和機の室内機であって、前記熱交換器と前記吸入グリルとの間にフィルター装置を設け、前記フィルター装置にエアフィルターと、前記エアフィルターに付着した塵埃を吸入する移動可能な吸入ノズルを設け、この吸入ノズルに吸い込みダクトを設け、さらに前記吸い込みダクトに連結する吸引排気装置と吸い込んだ塵埃を室外に排気する排気ダクトを具備し、前記吸入ノズルに複数個の吸入口を千鳥状に設けたことを特徴とする空気調和機のフィルター装置。
【請求項２】
前記吸入口に隣接するブラシを設けたことを特徴とする請求項１記載の空気調和機のフィルター装置。
【発明の詳細な説明】
【０００１】
【発明の属する技術分野】
本発明は、フィルターの清掃を自動的に行うようにした空気調和機のフィルター装置に関するものである。
【０００２】
【従来の技術】
従来の空気調和機のフィルター装置は、図６に示すように熱交換器１０の前面に、空気調和機の本体内部へ塵埃が侵入することを防ぐためのエアフィルター５が設けられており、このエアフィルター５は、付着した塵埃を手で清掃できるように着脱自在に構成されている。
【０００３】
一方、エアフィルターの清掃が容易な空気調和機として、エアフィルターの清掃手段として、回転ブラシと、ブラシカバーと、前記回転ブラシに同軸に設けられるピニオンからなるフィルターブラシが構成されているものがある（例えば、特許文献１参照）。
【０００４】
また、捕集装置と、清浄装置と、吸込み機構と、前記吸込み機構に繋がる担持ビームと、前記担持ビームに接続されたホースと真空発生器などで構成されているものがある（例えば、特許文献２参照）。
【０００５】
また、ベルト状のフィルターを張設した駆動軸及び従動軸と、サーボモータと、ブラシと、排気管に配設された塵埃センサー及びファンと、前記フィルターの連続使用時間を算出する演算処理手段と、制御手段とが構成されている（例えば、特許文献３参照）。
【０００６】
【特許文献１】
特開平１１−２２６３３１号公報（第２頁、第１〜４図）
【特許文献２】
特開平１−７５０２０号公報（第１〜９頁、第４図）
【特許文献３】
特開平６−７４５２１号公報（第２頁、第１図）
【０００７】
【発明が解決しようとする課題】
しかしながら、上記従来のフィルターの構成では、空気調和機の使用頻度に応じて空気調和機より取り外し、水洗いもしくは掃除機などで付着した塵埃を掃除するという周期的なメンテナンスを要する。また、周期的なメンテナンスが成されなかった場合、エアフィルターに塵埃が堆積し吸込み空気の通気抵抗が増大するため空気調和機の性能が低下、消費電力が増大するという課題があった。
【０００８】
また、動作手段に制約があったり、集塵後の塵埃処理の手間が発生するなどして確実な手段ではなかった。また、本体サイズが拡大化するなどの課題を有した。
【０００９】
【課題を解決するための手段】
上記課題を解決するために、本発明のフィルター装置は、フィルター枠と、エアフィルターと、移動可能な吸入ノズルを設け、この吸入ノズルに吸い込みダクトを設け、さらに前記吸い込みダクトに連結する吸引排気装置と排気ダクトを具備した空気調和機において、前記吸入ノズルに複数個の可変吸入口を千鳥に設けたものである。
【００１０】
上記構成により、エアフィルターの清掃を自動的に行うことが可能になり、空気調和機の性能維持、及び消費電力の増大防止を図ることができる。また、ノズルの手前から奥まで均一にムラなく吸塵することができる。
【００１１】
【発明の実施の形態】
以下本発明の実施の形態について、図面を参照して説明する。
【００１２】
図１は本発明の実施の形態におけるフィルター装置の斜視図、図２は本発明の実施の形態におけるフィルター装置の吸入ノズルの外観図、図３は発明の実施の形態における室内機の正面図、図４、図５は本発明の実施の形態における空気調和機の断面図である。
【００１３】
空気調和機本体１１の内部には、熱交換器１０とファン（図示せず）が配設されており、本体１１の前面から上面に渡り形成される複数の吸込口（図示せず）からは、ファンの動作により空気が吸い込まれ、これらの空気中に漂う塵埃は、前記吸込口と熱交換器１０との間に設けたフィルター装置１で取り除かれる。
【００１４】
このフィルター装置１は、フィルター枠２と、エアフィルター５と、移動可能な吸入ノズル４を設け、この吸入ノズル４に吸い込みダクト３を設け、さらに前記吸い込みダクト３に連結する吸引排気装置６と排気ダクト７を具備した空気調和機において、前記吸入ノズル４に複数個の可変吸入口４ａを千鳥に設け、さらに前記複数個の可変吸入口４ａの長さ寸法Ｂは、上方向及び奥方向に行くにしたがって大きくなるように設定している。さらに前記吸入口４ａに隣接するブラシ４ｂを設けたものである。
【００１５】
このように構成されたフィルター装置１の動作について説明する。空気調和機本体１１の運転停止後に、吸引排気装置６が運転開始し、吸い込みダクト３に設置された吸入ノズル４の吸入口４ａから空気を吸い込み始める。そして、エアフィルター５の片側端に位置していた吸入ノズル４が、駆動モータ９に連結された駆動用ワイヤー８によって矢印Ａ方向に移動し、吸入ノズル４のブラシ４ｂがエアフィルター５の表面についた埃を掻き出しながら、吸入ノズル４の複数個の可変吸入口４ａから吸い取り、塵埃は吸い込みダクト３、吸引排気装置６を通り、排気ダクト７から室外へ吐き出される。
【００１６】
ここで、吸入ノズル４がエアフィルター５の表面を全面清掃し、対向する片側端まで移動したときに駆動モータ９を逆回転させれば、吸入ノズル４は初期の位置に戻る方向に移動して、もう一度エアフィルター５の表面を清掃することが可能となる。
【００１７】
そして、この実施例によれば、吸入ノズル４の手前から奥まで均一にムラなく吸塵することができる。
【００１８】
【発明の効果】
上記から明らかなように、本発明は、フィルター装置にフィルター枠と、エアフィルターと、移動可能な吸入ノズルを設け、この吸入ノズルに吸い込みダクトを設け、さらに前記吸い込みダクトに連結する吸引排気装置と排気ダクトを具備した空気調和機において、前記吸入ノズルに複数個の可変吸入口を千鳥に設け、さらに前記吸入口に隣接するブラシを設けたものである。この構成によれば、ノズルの手前から奥まで均一にムラなく吸塵することができるという効果を奏する。
【図面の簡単な説明】
【図１】本発明の一実施例を示すフィルター装置の斜視図
【図２】本発明の一実施例を示すフィルター装置の吸入ノズルの断面外観図
【図３】本発明の一実施例を示す空気調和機の正面図
【図４】本発明の一実施例を示す図３のＩ−Ｉによる空気調和機の断面図
【図５】本発明の一実施例を示す図３のＩＩ−ＩＩによる空気調和機の断面図
【図６】従来を示す空気調和機の断面図
【符号の説明】
１  フィルター装置
２  フィルター枠
３  吸い込みダクト
４  吸入ノズル
４ａ  可変吸入口
４ｂ  ブラシ
５  エアフィルター
６  吸引排気装置
７  排気ダクト
８  駆動用ワイヤー
９  駆動モータ
１０  熱交換器
１１  本体
【図１】
2004286345.tif 000003
【図２】
2004286345.tif 000004
【図３】
2004286345.tif 000005
【図４】
2004286345.tif 000006
【図５】
2004286345.tif 000007
【図６】
2004286345.tif 000008